(57)【特許請求の範囲】
【請求項１】
有料道路へ入場するインタチェンジに入場ゲート装置を、退場するインタチェンジに退場ゲート装置をそれぞれ設け、さらに移動体通信網の中継基地と該中継基地に接続された管理システムと該管理システムに接続された通行料金を引き落とすコンピュータシステムとを利用して、移動体通信端末のユーザに有料道路の通行料金を課金する有料道路の通行料金課金のための方法であって、
前記入場ゲート装置が、前記移動体通信端末から、該移動体通信端末のユーザの口座を示す支払い口座情報を含んだ入場要求を受ける段階と、
当該入場要求を受けた入場ゲート装置が、当該入場ゲート装置の設けられたインタチェンジの識別情報を含む入場応答を前記移動体通信端末に行う段階と、
前記移動体通信網の中継基地が、前記移動体通信端末からの退場通知を受ける段階と、
前記退場ゲート装置が、前記移動体通信端末から該移動体通信端末に応答されたインタチェンジの識別情報を含む退場要求を受ける段階と、
当該退場要求を受けた退場ゲート装置が、当該退場要求に含まれたインタチェンジの識別情報により、前記入場ゲート装置の設けられたインタチェンジから当該退場ゲート装置の設けられたインタチェンジまでの通行料金を算出する段階と、
前記退場ゲート装置が、前記算出した通行料金を含む退場応答を前記移動体通信端末に行う段階と、
前記移動体通信網の中継基地が、前記移動体通信端末から前記支払い口座情報と前記通行料金とを含む課金情報を取得して前記管理システムへ中継する段階と、
前記管理システムが、前記課金情報を前記通行料金を引き落とすコンピュータシステムに中継する段階と
を含み、
前記移動体通信端末が、応答された前記通行料金を記憶し且つユーザの操作によっては削除不可能にするとともに削除許可により当該通行料金を削除可能にするように構成されているときに、前記管理システムは、前記課金情報を受けた場合は、前記移動体通信端末に対し削除許可を行うことを特徴とする有料道路の通行料金課金のための方法。
【請求項２】
前記管理システムは、前記移動体通信端末に発信して、当該移動体通信端末のユーザにより利用される車両の識別情報を当該移動体通信端末のメモリに書き込み、前記移動体通信端末は、当該メモリに書き込まれた車両の識別情報を前記入場要求に含め、前記入場ゲート装置は、該入場ゲート装置に設けられた監視カメラにより得た車両の識別情報が、前記入場要求に含まれたものに一致しないときは入場を拒否する請求項１記載の有料道路の通行料金課金のための方法。
【請求項３】
前記管理システムは、前記移動体通信端末に発信して、当該移動体通信端末のユーザにより利用される車両の識別情報を当該移動体通信端末のメモリに書き込み、前記移動体通信端末は、当該メモリに書き込まれた車両の識別情報を前記退場要求に含め、前記退場ゲート装置は、該退場ゲート装置に設けられた監視カメラにより得た車両の識別情報が、前記退場要求に含まれたものに一致しないときは退場を拒否する請求項１記載の有料道路の通行料金課金のための方法。
【請求項４】
有料道路へ入場するインタチェンジに入場ゲート装置を、退場するインタチェンジに退場ゲート装置をそれぞれ設け、さらに移動体通信網の中継基地と該中継基地に接続された管理システムと該管理システムに接続された通行料金を引き落とすコンピュータシステムとを利用して、移動体通信端末のユーザに有料道路の通行料金を課金する有料道路の通行料金課金のための方法が、
前記入場ゲート装置が、前記移動体通信端末から、該移動体通信端末のユーザの口座を示す支払い口座情報を含んだ入場要求を受ける段階と、
当該入場要求を受けた入場ゲート装置が、当該入場ゲート装置の設けられたインタチェンジの識別情報を含む入場応答を前記移動体通信端末に行う段階と、
前記移動体通信網の中継基地が、前記移動体通信端末からの退場通知を受ける段階と、
前記退場ゲート装置が、前記移動体通信端末から該移動体通信端末に応答されたインタチェンジの識別情報を含む退場要求を受ける段階と、
当該退場要求を受けた退場ゲート装置が、当該退場要求に含まれたインタチェンジの識別情報により、前記入場ゲート装置の設けられたインタチェンジから当該退場ゲート装置の設けられたインタチェンジまでの通行料金を算出する段階と、  前記退場ゲート装置が、前記算出した通行料金を含む退場応答を前記移動体通信端末に行う段階と、
前記移動体通信網の中継基地が、前記移動体通信端末から前記支払い口座情報と前記通行料金とを含む課金情報を取得して前記管理システムへ中継する段階と、
前記管理システムが、前記課金情報を前記通行料金を引き落とすコンピュータシステムに中継する段階と
を含むときの当該移動体通信端末として利用され、
予め設定された入場操作により前記入場要求を行い、予め設定された退場操作により前記退場応答を行う移動体通信端末であって、
当該移動体通信端末のユーザにより利用される車両の識別情報と支払い口座情報とが書き込まれたあとは恒久的に情報の消去が不可能な第１の領域と、通行料金が書き込まれる第２の領域とからなるメモリを備え、
前記応答された通行料金を前記第２の領域に書き込むとともに当該通行料金をユーザの操作によっては削除不可能にし、前記管理システムから通行料金の削除許可を受けたときは当該通行料金をユーザの操作によって削除可能にすることを特徴とする移動体通信端末。
【発明の詳細な説明】
【０００１】
【発明の属する技術分野】
本発明は、車載器を不要とした有料道路の通行料金課金のための方法とその方法に利用される移動体通信端末に関する。
【０００２】
【従来の技術】
現在、日本国内で利用される有料道路自動料金収受システム（ＥＴＣシステム）は道路公団にて開発されたものである。ＥＴＣシステムとは、車両に装着したＥＴＣ車載器と、入場ゲートや退場ゲートとに設置した装置との通信によって、有料道路の料金を自動的に収受するシステムである。ＥＴＣシステムによれば、現金が不要なので、ユーザにとって利便性が高く、料金徴収側にとってもその効率アップを図れる。
【０００３】
【発明が解決しようとする課題】
しかしながら、従来のＥＴＣシステムにあっては、ゲートの装置との間で料金支払いに必要なデータ交信する車載器の購入が必要である。ユーザは、車載器をメーカやディーラで購入した際に、車検証に記載される車両情報を書き込んでもらう必要である。また、その設置に際しては、電波交信の確認が必要である。また、設置場所がダシュボードの上部なので視野のさまたげになり、またそれに反射する光も運転の妨げになる。また、車載器にユーザ情報を記憶するメモリカードは、車載器に挿入したままで使用されるため、うっかりそのまま車両を離れてしまうことが多く、したがって盗難には特に注意が必要となる。
【０００４】
そこで本発明は、上記の従来の課題に鑑みてなされたものであり、その目的とするところは、車載器を不要とした有料道路の通行料金課金のための方法とその方法に利用される移動体通信端末を提供することにある。
【０００５】
【課題を解決するための手段】
上記従来の課題を解決するために、請求項１の本発明は、有料道路へ入場するインタチェンジに入場ゲート装置を、退場するインタチェンジに退場ゲート装置をそれぞれ設け、さらに移動体通信網の中継基地と該中継基地に接続された管理システムと該管理システムに接続された通行料金を引き落とすコンピュータシステムとを利用して、移動体通信端末のユーザに有料道路の通行料金を課金する有料道路の通行料金課金のための方法であって、前記入場ゲート装置が、前記移動体通信端末から、該移動体通信端末のユーザの口座を示す支払い口座情報を含んだ入場要求を受ける段階と、当該入場要求を受けた入場ゲート装置が、当該入場ゲート装置の設けられたインタチェンジの識別情報を含む入場応答を前記移動体通信端末に行う段階と、前記移動体通信網の中継基地が、前記移動体通信端末からの退場通知を受ける段階と、前記退場ゲート装置が、前記移動体通信端末から該移動体通信端末に応答されたインタチェンジの識別情報を含む退場要求を受ける段階と、当該退場要求を受けた退場ゲート装置が、当該退場要求に含まれたインタチェンジの識別情報により、前記入場ゲート装置の設けられたインタチェンジから当該退場ゲート装置の設けられたインタチェンジまでの通行料金を算出する段階と、前記退場ゲート装置が、前記算出した通行料金を含む退場応答を前記移動体通信端末に行う段階と、前記移動体通信網の中継基地が、前記移動体通信端末から前記支払い口座情報と前記通行料金とを含む課金情報を取得して前記管理システムへ中継する段階と、前記管理システムが、前記課金情報を前記通行料金を引き落とすコンピュータシステムに中継する段階とを含み、前記移動体通信端末が、応答された前記通行料金を記憶し且つユーザの操作によっては削除不可能にするとともに削除許可により当該通行料金を削除可能にするように構成されているときに、前記管理システムは、前記課金情報を受けた場合は、前記移動体通信端末に対し削除許可を行うことを特徴とする有料道路の通行料金課金のための方法をもって解決手段とする。
【０００７】
請求項２の本発明は、前記管理システムは、前記移動体通信端末に発信して、当該移動体通信端末のユーザにより利用される車両の識別情報を当該移動体通信端末のメモリに書き込み、前記移動体通信端末は、当該メモリに書き込まれた車両の識別情報を前記入場要求に含め、前記入場ゲート装置は、該入場ゲート装置に設けられた監視カメラにより得た車両の識別情報が、前記入場要求に含まれたものに一致しないときは入場を拒否する請求項１記載の有料道路の通行料金課金のための方法をもって解決手段とする。
【０００８】
請求項３の本発明は、前記管理システムは、前記移動体通信端末に発信して、当該移動体通信端末のユーザにより利用される車両の識別情報を当該移動体通信端末のメモリに書き込み、前記移動体通信端末は、当該メモリに書き込まれた車両の識別情報を前記退場要求に含め、前記退場ゲート装置は、該退場ゲート装置に設けられた監視カメラにより得た車両の識別情報が、前記退場要求に含まれたものに一致しないときは退場を拒否する請求項１記載の有料道路の通行料金課金のための方法をもって解決手段とする。
【０００９】
請求項４の本発明は、有料道路へ入場するインタチェンジに入場ゲート装置を、退場するインタチェンジに退場ゲート装置をそれぞれ設け、さらに移動体通信網の中継基地と該中継基地に接続された管理システムと該管理システムに接続された通行料金を引き落とすコンピュータシステムとを利用して、移動体通信端末のユーザに有料道路の通行料金を課金する有料道路の通行料金課金のための方法が、前記入場ゲート装置が、前記移動体通信端末から、該移動体通信端末のユーザの口座を示す支払い口座情報を含んだ入場要求を受ける段階と、当該入場要求を受けた入場ゲート装置が、当該入場ゲート装置の設けられたインタチェンジの識別情報を含む入場応答を前記移動体通信端末に行う段階と、前記移動体通信網の中継基地が、前記移動体通信端末からの退場通知を受ける段階と、前記退場ゲート装置が、前記移動体通信端末から該移動体通信端末に応答されたインタチェンジの識別情報を含む退場要求を受ける段階と、当該退場要求を受けた退場ゲート装置が、当該退場要求に含まれたインタチェンジの識別情報により、前記入場ゲート装置の設けられたインタチェンジから当該退場ゲート装置の設けられたインタチェンジまでの通行料金を算出する段階と、前記退場ゲート装置が、前記算出した通行料金を含む退場応答を前記移動体通信端末に行う段階と、前記移動体通信網の中継基地が、前記移動体通信端末から前記支払い口座情報と前記通行料金とを含む課金情報を取得して前記管理システムへ中継する段階と、前記管理システムが、前記課金情報を前記通行料金を引き落とすコンピュータシステムに中継する段階とを含むときの当該移動体通信端末として利用され、予め設定された入場操作により前記入場要求を行い、予め設定された退場操作により前記退場応答を行う移動体通信端末であって、当該移動体通信端末のユーザにより利用される車両の識別情報と支払い口座情報とが書き込まれたあとは恒久的に情報の消去が不可能な第１の領域と、通行料金が書き込まれる第２の領域とからなるメモリを備え、前記応答された通行料金を前記第２の領域に書き込むとともに当該通行料金をユーザの操作によっては削除不可能にし、前記管理システムから通行料金の削除許可を受けたときは当該通行料金をユーザの操作によって削除可能にすることを特徴とする移動体通信端末をもって解決手段とする。
【００１１】
【発明の実施の形態】
以下、本発明の実施の形態を図面を参照して説明する。
図１は、本発明の有料道路の通行料金課金のための方法を実現するシステム構成を示す図である。管理システム１は、管理会社に運営されるコンピュータであり、携帯電話網の中継基地２に接続されている。以下システムはコンピュータシステムの略称として用いる。入場ゲート装置３及び退場ゲート装置４は、有料道路１０のインタチェンジ３Ａ及び４Ａにそれぞれ配備されている。車両５と携帯電話６は、ユーザに利用される車両と端末装置である。管理システム１は通信料金を引き落とす銀行システム７に接続されている。なお、実際には、各地の有料道路には他の入場ゲート装置３及び退場ゲート装置４も設けられており、また、他の中継基地２も設けられているが、ここではその代表を示す。また、携帯通信網は本発明の移動体通信網に、携帯電話６は本発明の移動体通信端末にそれぞれ相当するものである。
【００１２】
入場ゲート装置３は、携帯電話６から入場要求されると入場応答を行って入場を許可する。一方、退場ゲート装置４は、携帯電話６から退場要求されると、通行料金を算出し、それを含む退場応答を携帯電話６に行うことで退場を許可する。なお、それぞれの装置３、４には図示しない監視カメラが組み込まれ、これにより不正車両による利用を防止するようになっている。
【００１３】
中継基地２には、本来は携帯電話６の通話中継を行う装置であるが、携帯電話６から退場通知されると、その通知元である携帯電話６から課金情報を取得し、これを管理システム１に転送するようになっている。
【００１４】
管理システム１は、中継基地２から通知された課金情報を銀行システム７に対し中継することで、銀行システム７に料金引き落としを行わせる。
【００１５】
図２は、中継基地２に設けられた情報データベース２１のレコードの構成を示す図である。以下、データベースをＤＢと略記する。
【００１６】
情報ＤＢ２１は、有料道路１０の通行しての利用毎に生成されるレコードにより構成される。各レコードには、中継基地２の中継基地名、携帯電話６からの退場通知の受信年月日、このレコードを識別する情報番号、携帯電話６の携帯電話番号、車両５の車両ナンバ及び車種コード（これらは車両の識別情報を構成する）、有料道路１０の有料道路名及び通行年月日、入場に利用されたインタチェンジ名（入場インタチェンジ名）及び入場日時、退場に利用されたインタチェンジ名（退場インタチェンジ名）及び退場日時、通行料金からなる利用情報が記録される。なお、中継基地名、有料道路名、入場インタチェンジ名、退場インタチェンジ名は、実際には、他のものと識別するための識別情報やコードが使用されるが、説明の便宜上名称としている。
【００１７】
また、情報ＤＢ２１のレコードには、退場通知の受信状態を示すフラグＡ、課金情報の受信状態を示すフラグＢ、携帯電話６との間の情報の再確認の状態を示すフラグＣ、管理システム１への情報の送信状態を示すフラグＤを備える。
【００１８】
図３は、管理システム１の各データベースのレコードの構成を示す図である。ユーザＤＢ１１のユーザ毎のレコードにはユーザ情報が格納される。ユーザ情報は、携帯電話６の携帯電話番号と暗証番号、銀行名、支店名及び口座番号等からなる支払い口座の識別情報（以下支払い口座情報という）、郵便番号、住所、氏名といった情報である。
【００１９】
また、当該レコードには、そのユーザの家族の各自について、携帯電話番号と住所と郵便番号と氏名が登録される。このため、携帯電話６の携帯電話番号は、「親」の番号として、そして各家族の携帯電話番号は「子」登録されている。
【００２０】
また、後述する車両ＤＢ１２の１以上レコードのそれぞれに関連づけるための世代管理ＴＢＬというデータが登録される。
【００２１】
車両ＤＢ１２の各レコードは、ユーザＤＢ１１の世代管理ＴＢＬに関連づけられるとともに車両情報が格納される。車両情報は、携帯電話６の携帯電話番号と暗証番号、車検証番号、車両ナンバ、車種コード、所有者名とその住所等が登録される。
【００２２】
なお、管理システム１は、図示しない情報管理ＤＢ１３を有し、そのレコードには、情報ＤＢ２１のレコードに格納される利用情報と同様の利用情報が格納される。異なる点は、フラグＡ〜Ｄを備えず、携帯電話６への削除許可の通知の状態を示すフラグＥと、課金処理の状態を示すフラグＦを備える点である。
【００２３】
図４は、携帯電話６に内蔵されるメモリ６０の構成を示す図である。
携帯電話６はメモリ６０を内蔵しており、そのメモリ６０は領域６１と領域６２を備える。領域６１は第１の領域に、領域６２は第２の領域にそれぞれ相当するものである。なお、メモリ６０は着脱自在でなく、携帯電話６の筐体内部に組み込まれることで、ユーザが直接的に情報の内容を削除等できないようになっている。
【００２４】
領域６１には、ユーザ情報として、携帯電話番号（親のものと子のもの）と暗証番号が書き込まれる。また、車両情報として、車両ナンバ及び車種コード、並びにその他の情報が書き込まれる。領域６１は、第１の領域に相当し、ユーザの操作による情報の消去が不可能になっている。
【００２５】
領域６２には、利用情報として、有料道路名、入場インタチェンジ名及び入場日時、退場インタチェンジ名及び退場日時、通行料金が記録される。なお、領域６２には、管理システム１からの削除許可の通知の状態を示すフラグＧを備える。領域６２は、ユーザの操作による情報の消去が可能である。
【００２６】
なお、携帯電話６は、このように領域６２の内容を削除することができるが、それをフラグＧが”２”の場合に限り行うようになっている。
【００２７】
図５は、携帯電話６の画面を示す図である。
携帯電話６の画面には、ユーザの操作により、携帯電話番号、車両ナンバ、車種コード、支払い口座番号、入場インタチェンジ名及び入場日時、退場インタチェンジ名及び退場日時、通行料金などが表示される。
【００２８】
次に本実施の形態の動作を説明する。
【００２９】
図６は、初期登録の手順を示す図である。
ユーザは携帯電話６と、それぞれの車両の車検証を携帯電話会社の窓口に持参する。オペレータは、携帯電話６の携帯電話番号及び支払い口座番号や住所氏名等を含むユーザ情報と、車両ナンバ及び車種コードを含む各車両情報とを確認すると、それら情報を窓口に設けられた端末８へ入力する。
【００３０】
端末８は、ユーザ情報と車両情報を管理システム１へと送信する。
【００３１】
管理システム１は、ユーザ情報をユーザＤＢ１１に生成したレコードに、各車両情報を車両ＤＢ１２に生成した各レコードにそれぞれ格納し、さらに、暗証番号を生成して各レコードに格納する。そして、携帯電話６の携帯電話番号に発信して、そのユーザ情報と台数分の車両情報と暗証番号とを、携帯電話６の領域６１に書き込む。
【００３２】
図７は、変更登録の手順を示す図である。
ユーザは携帯電話６から管理システム１の管理会社へ電話して、変更の生じた車両についての車両情報の変更内容を口頭で伝える（ステップＳ１１）。管理会社は陸運局へ電話してそれをに伝える（ステップＳ１３）。陸運局ではその内容を確認すると、管理会社にその旨を連絡する（ステップＳ１５）。すると管理会社は、携帯電話会社へ電話してその旨を連絡する（ステップＳ１７）。
【００３３】
また、管理会社のオペレータが、その車両情報の変更内容を管理システム１に入力する（ステップＳ１９）。すると、管理システム１は、変更後の車両情報を携帯電話６の領域６１に格納する（ステップＳ２１）とともに、その変更後の車両情報で車両ＤＢ１２の該当レコードを更新する（ステップＳ２３）。なお、ステップＳ２１の処理で携帯電話６は、暗証番号が一致したときに限り、領域６１の書き込みを許可するので、不正な書き込みを防止できる。
【００３４】
図８は、携帯電話６を所持したユーザが車両５で有料道路１０を利用する際のシーケンス図である。
【００３５】
（入場時の処理）
車両５が入場ゲート装置３へ差し掛かり、ユーザにより携帯電話６が操作（例えば、＃５５のキー押下と予め設定されている）される（ステップＳ３１）と、携帯電話６は入場ゲート装置３に対し、領域６１の携帯電話番号、車両ナンバ及び車種コードを通知する入場要求を行う（ステップＳ３３）。
【００３６】
すると入場ゲート装置３は携帯電話６に対し、有料道路１０の有料道路名、当日の年月日、インタチェンジ３Ａの名前、当該入場要求の日時を応答する入場応答を行って（ステップＳ３５）、入場を許可する（例えば、ゲートを開く）。なお、入場ゲート装置３は、監視カメラにより得た車両ナンバ及び車種コードが、入場要求で通知されたものに一致しないときは、入場を拒否するので、不正車両による入場を防止できる。
【００３７】
携帯電話６は、入場応答で通知された情報のそれぞれを有料道路名、通行年月日、入場インタチェンジ名、入場日時として領域６２に記録する（ステップＳ３７）。なお、携帯電話６は、フラグＧを”１”に初期化する。したがって、ユーザの操作ミスによる誤消去が防止できる。また、携帯電話６と入場ゲート装置３との通信には、携帯電話網を使用するときの周波数（現在は８００ＭＨｚと１．５ＧＨｚが主流）とは異なる周波数（例えば、道路公団がＥＴＣシステムで使用する５．８ＧＨｚ）が使用される。したがって、混信を防止することができる。（退場時の処理）
こうして入場ゲート装置３から入場した車両５が有料道路１０を走行後、退場ゲート装置４に差し掛かり、ユーザにより携帯電話６が操作される（例えば、＃５５０のキー押下と予め設定されている）（ステップＳ４１）と、携帯電話６は中継基地２に対し、領域６１の携帯電話番号、車両ナンバ及び車種コードと、領域６２の有料道路名及び通行年月日、入場インタチェンジ名及び入場日時とを、退場通知として通知して（ステップＳ４３）、退場を許可する（例えば、ゲートを開く）。なお、退場ゲート装置４は、退場通知の受信中はフラグＡを”１”にし、正常に受信終了したときは”２”に、異常終了したときは”３”に更新する。
【００３８】
なお、退場ゲート装置４は、監視カメラにより得た車両ナンバ及び車種コードが、退場要求で通知されたものに一致しないときは、退場を拒否するので、不正車両による退場を防止できる。
【００３９】
また操作された携帯電話６は退場ゲート装置４に対し、領域６１の携帯電話番号と、車両ナンバ及び車種コードと、領域６２の入場インタチェンジ名及び入場日時とを、退場要求として通知する（ステップＳ４５）。すると退場ゲート装置４は、インタチェンジ４Ａの名前と、当該退場要求の日時と、そのとき算出した通行料金、つまり、当該退場要求に含まれた入場インタチェンジ名により退場ゲート装置４が算出したインタチェンジ３Ａからインタチェンジ４Ａまでの通行料金とを、退場応答として応答する（ステップＳ４７）。すると、携帯電話６は、それらを退場インタチェンジ名、退場日時、通行料金として領域６２に記録する（ステップＳ４９）。これにより、領域６２に利用情報が記録されたことになる。なお、携帯電話６は、ユーザの操作により、領域６１や６２に記録された情報を図５に示すような表示形態で表示させるので、ユーザはその内容を確認することができる。
【００４０】
中継基地２は、退場要求の要求元である携帯電話６から、領域６１の携帯電話番号、車両ナンバ及び車種コードと、領域６２の有料道路名及び通行年月日、入場インタチェンジ名及び入場日時、退場インタチェンジ名及び退場日時、通行料金とを、課金情報として取得する（ステップＳ５１）。なお、課金情報の受信中はフラグＢを”１”にし、正常に受信終了したときは”２”に、異常終了したときは”３”に更新する。そして、情報ＤＢ２１にレコードを生成し、このときに生成した情報番号と当該課金情報を格納する（ステップＳ５３）。
【００４１】
中継基地２は、フラグＢが”２”であれば、携帯電話６へ再確認を行い、その間は、フラグＣを”１”にし、確認内容が正常であれば”２”に、異常なときは”３”に更新する。
【００４２】
そして、中継基地２は、フラグＣが”２”であれば、課金情報（情報番号を含む）を管理システム１に通知する（ステップＳ５５）。
【００４３】
なお、中継基地２は、課金情報の送信中はフラグＤを”１”にし、送信が正常終了したときは”２”に、異常終了したときは”３”に更新する。
【００４４】
管理システム１は、送信された課金情報を受信すると、情報管理ＤＢ１３にレコードを作成するとともに課金情報を格納する（ステップＳ５７）。
【００４５】
続いて、管理システム１は携帯電話６に対し削除許可を通知する（ステップＳ５９）。なお、管理システム１及び携帯電話６は、フラグＥ及びフラグＧを、かかる通知の状態に応じて更新する。つまり、通知中は、それぞれにフラグを”１”にし、通知が正常終了したときは”２”に、異常終了したときは”３”に更新する。つまり、通知が正常終了してフラグＧが”２”になると、領域６２が削除可能になる（ステップＳ６１）。
【００４６】
なお、携帯電話６は、ユーザにより操作（例えば、＃５５１のキー押下）されると、フラグＧが”２”であれば、領域６２の利用情報を削除する。
【００４７】
（課金処理）
さて、管理システム１は、例えば月末といった、通行料金の計算期間の終了の際にはその集計を行う（ステップＳ７１）。ここでは、情報管理ＤＢ１３の、携帯電話番号、車両ナンバ及び車種コード、中継基地名が同一のものについての、通行料金の合計を求める。そして、集計ＤＢ１４にレコードを生成して、その携帯電話番号、車両ナンバ及び車種コード、中継基地名を登録し、されに通行料金の合計を登録する。なお、管理システム１は、情報管理ＤＢ１３のレコードのフラグＦを、通行料金の処理中は”１”にし、処理が正常終了したときは”２”に、異常終了したときは”３”に更新する。
【００４８】
そして、集計を終えた管理システム１は、銀行システム７に対し、合計の通行料金とこれを課金される支払い口座情報とを、課金依頼として通知する（ステップＳ７３）。すると、銀行システム７は、通知された支払い口座情報が示す口座から当該合計の通行料金を引き落とす（ステップＳ７５）。つまり、有料道路１０の運営組織の口座などに振り替える。なお、課金依頼は、課金情報の中継に相当する処理であり、実際には、中継基地２から管理システム１への課金情報に含まれる他の情報やユーザ情報、車両情報などが明細書などのデータ形式で送信されることになる。
【００４９】
図９は、本発明の他の実施例を示す図である。この実施例では、ユーザの操作（ステップＳ４１）が行われたときに、携帯電話６はステップＳ４３の退場通知を行わず、ステップＳ４４の退場要求のみを行う。すると、退場ゲート装置４は、上記実施例のものと同様の課金情報を生成し、これを管理システム１へ通知する。なお、この実施例においてもステップＳ４７、５７、５９、６１、７１、７３及び７５が行われるのは勿論である。また、この実施例においては、中継基地２の情報ＤＢ２１を不要にすることができる。
【００５０】
なお、管理会社は、通行料金の明細書を希望者にのみ発行することで、セキュリティを確保している。また、管理システム１は、請求書を希望しないユーザには、電子メールで、明細書の内容を送信することができる。また、銀行口座に不足額が生じたときにも、電子メールで通知することができる。また、管理会社は、残金不足が一定期間継続したときには、携帯電話の使用を解除することができる。
【００５１】
なお、上記実施形態では携帯電話の通信環境を利用したが、他の移動体通信の環境（ＰＨＳシステムや自動車電話システム）を使用してもよい。
【００５２】
以上説明したように、本発明の実施形態によれば、ゲートの装置との間で料金支払いに必要なデータを交信する車載器の購入が不要になる。また、車載器をメーカやディーラで購入した際に、車検証に記載される車両情報を書き込んでもらう手続きや電波交信の確認が不要になる。また、視野の妨げになることがなく、また反射する光の影響による運転の妨げになることもないので快適な運転が行える。また、常にユーザに携行される携帯電話を利用しているので、車内での盗難への配慮が不要となる。
【００５３】
【発明の効果】
以上説明したように、本発明によれば、有料道路へ入場するインタチェンジに入場ゲート装置を、退場するインタチェンジに退場ゲート装置をそれぞれ設け、さらに移動体通信網の中継基地と該中継基地に接続された管理システムと該管理システムに接続された通行料金を引き落とすコンピュータシステムとを利用して、移動体通信端末のユーザに有料道路の通行料金を課金する有料道路の通行料金課金のための方法であって、入場ゲート装置が、移動体通信端末から、該移動体通信端末のユーザの口座を示す支払い口座情報を含んだ入場要求を受ける段階と、当該入場要求を受けた入場ゲート装置が、当該入場ゲート装置の設けられたインタチェンジの識別情報を含む入場応答を移動体通信端末に行う段階と、移動体通信網の中継基地が、移動体通信端末からの退場通知を受ける段階と、退場ゲート装置が、移動体通信端末から該移動体通信端末に応答されたインタチェンジの識別情報を含む退場要求を受ける段階と、当該退場要求を受けた退場ゲート装置が、当該退場要求に含まれたインタチェンジの識別情報により、入場ゲート装置の設けられたインタチェンジから当該退場ゲート装置の設けられたインタチェンジまでの通行料金を算出する段階と、退場ゲート装置が、算出した通行料金を含む退場応答を移動体通信端末に行う段階と、移動体通信網の中継基地が、移動体通信端末から支払い口座情報と通行料金とを含む課金情報を取得して管理システムへ中継する段階と、管理システムが、課金情報を通行料金を引き落とすコンピュータシステムに中継する段階とを含み、移動体通信端末が、応答された通行料金を記憶し且つユーザの操作によっては削除不可能にするとともに削除許可により当該通行料金を削除可能にするように構成されているときに、管理システムは、課金情報を受けた場合は、移動体通信端末に対し削除許可を行う有料道路の通行料金課金のための方法としたので、車載器を不要とした有料道路の通行料金課金を行うことが可能となる。
【００５４】
また、移動体通信端末は、予め設定された入場操作により入場要求を行い、予め設定された退場操作により退場応答を行うので、かかる有料道路の課金に利用することができる。さらに、移動体通信端末は、ユーザにより利用される車両の識別情報と支払い口座情報とが書き込まれたあとは恒久的に情報の消去が不可能な第１の領域と、通行料金が書き込まれる第２の領域とからなるメモリを備え、応答された通行料金を第２の領域に書き込むとともに当該通行料金をユーザの操作によっては削除不可能にし、管理システムから通行料金の削除許可を受けたときは当該通行料金をユーザの操作によって削除可能にするので、有料道路の利用時に毎回必要な車両の識別情報と支払い口座情報を恒久的に記憶できる上に、通知された通行料金をその課金が可能になるまでの間は少なくとも保護し、それ以降はユーザの希望により削除することができる。これにより、メモリの節約も図ることができる。
【図面の簡単な説明】
【図１】本発明の有料道路の通行料金課金のための方法を実現するシステム構成を示す図である。
【図２】中継基地２に設けられた情報ＤＢ２１のレコードの構成を示す図である。
【図３】管理システム１のユーザＤＢ１１および車両ＤＢ１２のレコードの構成を示す図である。
【図４】携帯電話６に内蔵されるメモリ６０の構成を示す図である。
【図５】携帯電話６の画面を示す図である。
【図６】初期登録の手順を示す図である。
【図７】変更登録の手順を示す図である。
【図８】携帯電話６を所持したユーザが車両５で有料道路１０を利用する際のシーケンス図である。
【図９】本発明の他の実施例を示す図である。
【符号の説明】
１  管理システム
２  中継基地
３  入場ゲート装置
４  退場ゲート装置
３Ａ  インタチェンジ
４Ａ  インタチェンジ
５  車両
６  携帯電話
７  銀行システム
８  端末
１０  有料道路
１１  ユーザＤＢ
１２  車両ＤＢ
１３  情報管理ＤＢ
２１  情報ＤＢ
６０  メモリ
６１  領域
６２  領域
【図１】
0003634811.tif 000002
【図２】
0003634811.tif 000003
【図３】
0003634811.tif 000004
【図４】
0003634811.tif 000005
【図５】
0003634811.tif 000006
【図６】
0003634811.tif 000007
【図７】
0003634811.tif 000008
【図８】
0003634811.tif 000009
【図９】
0003634811.tif 000010